(57)【要約】【課題】医療機関の電源設備の容量のうち使用されない容量を低減することができる医用検査管理システムを提供することである。【解決手段】実施形態の医用検査管理システムは、第１の記憶部と、第２の記憶部と、受付部と、計画制御部とを有する。第１の記憶部は、医用画像診断装置の検査項目ごとの標準検査時間及び標準電力を予め記憶する。第２の記憶部は、電力の合計の上限値を予め記憶する。受付部は、検査項目を表す検査オーダ情報を複数受け付ける。計画制御部は、標準検査時間及び標準電力と検査オーダ情報とに基づいて、使用する予定電力を検査オーダ情報ごとに求め、予定電力の合計が上限値以下となるように、検査オーダ情報における検査の時間割を表す検査計画を作成する。【選択図】図１
2015203970.tif 000002
【特許請求の範囲】
【請求項１】
医用画像診断装置の検査項目ごとの標準検査時間及び標準電力を予め記憶する第１の記憶部と、
電力の合計の上限値を予め記憶する第２の記憶部と、
検査項目を表す検査オーダ情報を複数受け付ける受付部と、
前記標準検査時間及び前記標準電力と前記検査オーダ情報とに基づいて、使用する予定電力を前記検査オーダ情報ごとに求め、前記予定電力の合計が前記上限値以下となるように、前記検査オーダ情報における検査の時間割を表す検査計画を作成する計画制御部と
を有する医用検査管理システム。
【請求項２】
前記計画制御部は、
前記検査オーダ情報に基づいて、検査準備計画を作成し、
前記検査準備計画において、前記予定電力の合計が前記上限値を超えた予定時間があるとき、前記予定時間に割り当てられた前記検査オーダ情報における検査の一部を他の時間に変更して前記検査計画を作成する
ことを特徴とする請求項１に記載の医用検査管理システム。
【請求項３】
前記第２の記憶部は、複数の前記上限値のそれぞれに１以上の前記検査項目が関連付けられた第１の関連情報を予め記憶し、
前記受付部は、前記上限値の選択を受け付け、
前記計画制御部は、前記第１の関連情報に基づいて、選択された前記上限値に関連付けられた前記検査項目を表す前記検査オーダ情報について前記検査準備計画及び前記検査計画を作成する
ことを特徴とする請求項２に記載の医用検査管理システム。
【請求項４】
前記第２の記憶部は、前記予定時間に１以上の前記上限値及び前記検査項目が関連付けられた第２の関連情報を予め記憶し、
前記計画制御部は、前記第２の関連情報に基づいて、当該予定時間に関連付けられた前記検査項目を表す前記検査オーダ情報について前記検査準備計画を作成し、前記予定電力の合計が当該予定時間に関連付けられた前記上限値以下となるように前記検査計画を作成する
ことを特徴とする請求項２に記載の医用検査管理システム。
【発明の詳細な説明】
【技術分野】
【０００１】
本発明の実施形態は、医用検査管理システムに関する。
【背景技術】
【０００２】
病院等の医療機関では、Ｘ線診断装置、Ｘ線ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置、核医学診断装置、超音波診断装置等の医用画像診断装置による各種検査が行われる。
【０００３】
これら医用画像診断装置へ電力を供給する電源設備の容量は、各医用画像診断装置の最大使用電力の合計以上に定められている。このように定められた容量に基づいて、医療機関は電力会社との許容電力値を契約している場合がある。
【先行技術文献】
【特許文献】
【０００４】
【特許文献１】特開２０１４−１４７２４号公報
【発明の概要】
【発明が解決しようとする課題】
【０００５】
しかしながら、これら医用画像診断装置が、同時に最大使用電力を使用することは稀である。医療機関の電源設備の容量は、実際に使用される使用電力に対して過剰な容量であり、実際には使用されない容量が存在した。
【０００６】
本発明が解決しようとする課題は、医療機関の電源設備の容量のうち使用されない容量を低減することができる医用検査管理システムを提供することである。
【課題を解決するための手段】
【０００７】
実施形態の医用検査管理システムは、第１の記憶部と、第２の記憶部と、受付部と、計画制御部とを有する。第１の記憶部は、医用画像診断装置の検査項目ごとの標準検査時間及び標準電力を予め記憶する。第２の記憶部は、電力の合計の上限値を予め記憶する。受付部は、検査項目を表す検査オーダ情報を複数受け付ける。計画制御部は、標準検査時間及び標準電力と検査オーダ情報とに基づいて、使用する予定電力を検査オーダ情報ごとに求め、予定電力の合計が上限値以下となるように、検査オーダ情報における検査の時間割を表す検査計画を作成する。
【図面の簡単な説明】
【０００８】
【図１】実施形態の医用検査管理システムの構成を表すブロック図。
【図２】第１の記憶部が予め記憶する標準検査時間及び標準電力の概略を表す模式図。
【図３】検査準備計画の概略を表す模式図。
【図４】検査計画の概略を表す模式図。
【図５】実施形態の医用検査管理システムの動作を表すフローチャート。
【図６】第１の関連情報の概略を表す模式図。
【図７】第２の関連情報の概略を表す模式図。
【発明を実施するための形態】
【０００９】
〈実施形態〉
［構成］
図１は、この実施形態の医用検査管理システムの構成を表すブロック図である。実線の矢印は、情報信号の流れを表す。一点鎖線の矢印は、電力の流れを表す。この医用検査管理システムは、ＨＩＳ（Ｈｏｓｐｉｔａｌ  Ｉｎｆｏｒｍａｔｉｏｎ  Ｓｙｓｔｅｍ）／ＲＩＳ（Ｒａｄｉｏｌｏｇｙ  Ｉｎｆｏｒｍａｔｉｏｎ  Ｓｙｓｔｅｍ）装置１と、検査制御部２と、主電源３と、バッテリ４と、電力制御部５と、医用画像診断装置６とを有する。
【００１０】
（ＨＩＳ／ＲＩＳ装置１）
ＨＩＳ／ＲＩＳ装置１は、一般的な病院情報システムまたは放射線情報システムの機能を有する装置である。ＨＩＳ／ＲＩＳ装置１は、医師等の操作者による検査オーダ情報の入力を複数受ける。検査オーダ情報は、検査項目及び装置ＩＤを表す。装置ＩＤは、医用画像診断装置６を識別可能な識別情報である。なお、検査オーダ情報は、開始時刻若しくは優先度又はこれらの双方を表す情報を含んでもよい。ＨＩＳ／ＲＩＳ装置１は、複数の検査オーダ情報を受付部２１へ出力する。
【００１１】
（検査制御部２）
検査制御部２は、検査オーダ情報に基づいて検査計画を作成する。検査制御部２は、受付部２１と、第１の記憶部２２と、算出部２３と、第２の記憶部２４と、計画制御部２５とを有する。
【００１２】
（受付部２１）
受付部２１は、一般的な通信インターフェースを介して、ＨＩＳ／ＲＩＳ装置１と通信可能に接続される。受付部２１は、検査項目を表す検査オーダ情報を複数受け付ける。受付部２１はこれら検査オーダ情報を計画制御部２５へ出力する。
【００１３】
（第１の記憶部２２）
第１の記憶部２２は、医用画像診断装置６の検査項目ごとの標準検査時間及び標準電力を予め記憶する。図２は、第１の記憶部２２が予め記憶する標準検査時間及び標準電力の概略を表す模式図である。装置ＩＤ（Ｍ１、Ｍ２、・・・、Ｍｎ；添字「ｎ」は、医用画像診断装置を識別する符号）に、検査項目（Ｅ１１、Ｅ１２、・・・、Ｅ１ｋ：Ｅ２１、Ｅ２２、・・・、Ｅ２ｈ：Ｅｎ１、Ｅｎ２、・・・、Ｅｎｑ）が関連付けられる。添字「ｋ」は、装置Ｍ１の検査項目を識別する符号である。添字「ｈ」は、装置Ｍ２の検査項目を識別する符号である。添字「ｑ」は、装置Ｍｎの検査項目を識別する符号である。検査項目に、標準検査時間（Ｔ１１、Ｔ１２、・・・、Ｔ１ｋ：Ｔ２１、Ｔ２２、・・・、Ｔ２ｈ：Ｔｎ１、Ｔｎ２、・・・、Ｔｎｑ）と標準電力（Ｓ１１、Ｓ１２、・・・、Ｓ１ｋ：Ｓ２１、Ｓ２２、・・・、Ｓ２ｈ：Ｓｎ１、Ｓｎ２、・・・、Ｓｎｑ）とが対応付けられる。
【００１４】
例えば、標準検査時間は、過去に行われた当該検査項目の平均検査時間である。標準電力は、過去に行われた当該検査項目の平均電力である。第１の記憶部２２は、算出部２３により算出された標準検査時間及び標準電力の入力を受け、標準検査時間及び標準電力を更新して記憶する。なお、第１の記憶部２２は、医師等の操作者による標準検査時間及び標準電力の入力を受けて記憶してもよい。
【００１５】
（算出部２３）
算出部２３は、検査が行われる最中、当該医用画像診断装置６に供給される電力の電力値を所定のサンプリングレートで電力制御部５から受ける。算出部２３は、受けた電力値に基づいて、行われた検査の平均電力を算出する。算出部２３は、第１の記憶部２２から当該検査項目の標準電力を読み出し、この標準電力と行われた検査の平均電力とに基づいて、新たな標準電力を算出する。算出部２３は、新たな標準電力を第１の記憶部２２へ出力し、更新して記憶させる。
【００１６】
さらに、算出部２３は、検査が行われる最中、当該医用画像診断装置６から検査の開始時刻及び終了時刻を受ける。算出部２３は、受けた開始時刻及び終了時刻に基づいて、行われた検査の検査時間を算出する。算出部２３は、第１の記憶部２２から当該検査項目の標準検査時間を読み出し、この標準検査時間と行われた検査の検査時間とに基づいて、新たな標準検査時間を算出する。算出部２３は、新たな標準検査時間を第１の記憶部２２へ出力し、更新して記憶させる。
【００１７】
（第２の記憶部２４）
第２の記憶部２４は、電力の合計の上限値を予め記憶する。上限値は、操作者により予め入力される値である。例えば、上限値は、電源設備の容量若しくは当該医療機関の電力契約値またはこれらより小さな値が操作者により予め第２の記憶部２４へ入力される。
【００１８】
（計画制御部２５）
計画制御部２５は、標準検査時間及び標準電力と検査オーダ情報とに基づいて、使用する予定電力を検査オーダ情報ごとに求め、予定電力の合計が上限値以下となるように、検査オーダ情報における検査の時間割を表す検査計画を作成する。このとき、計画制御部２５は、受付部２１から受けた検査オーダ情報の検査項目を参照し、この検査項目の標準検査時間及び標準電力を第１の記憶部２２から検査オーダ情報ごとに読み出す。
【００１９】
計画制御部２５は、装置ＩＤに基づいて、検査準備計画を作成する。図３は、検査準備計画の概略を表す模式図である。縦軸は、時間を表す。横軸は、電力を表す。長方形Ｇの縦の辺の長さは、各検査オーダ情報における検査の標準検査時間を表す。長方形Ｇの横の辺の長さは、各検査オーダ情報における検査の標準電力を表す。計画制御部２５は、検査オーダ情報の装置ＩＤを読んで、同一の装置ＩＤを含む検査オーダ情報における検査を互いに異なる時間に割り当てる。それにより、同一の装置ＩＤを含む検査オーダ情報における検査が同じ時間に重複して割り当てられることが防止される。さらに、計画制御部２５は、同一の装置ＩＤを含む検査オーダ情報における検査が同じ時間に重複しない範囲で、検査オーダ情報における検査を先の時刻に割り当てる。なお、検査オーダ情報が開始時刻を表す情報を含むとき、計画制御部２５は、同一の装置ＩＤを含む検査オーダ情報における検査を互いに異なる時間に割り当てられる範囲で、検査オーダ情報における検査をその開始時刻に近い時刻に割り当てる。すなわち、計画制御部２５は、まず、上限値（後述）に関わらず、検査オーダ情報に含まれる情報のみによって、検査準備計画を作成する。
【００２０】
計画制御部２５は、上限値Ｌを第２の記憶部２４から読み出し、検査準備計画において、予定電力の合計が上限値Ｌを超えた予定時間があるか否か判断する。計画制御部２５は、検査準備計画において、予定電力の合計が上限値Ｌを超えた予定時間があるとき、その予定時間に割り当てられた検査オーダ情報における検査の一部を他の時間に変更して検査計画を作成する。
【００２１】
計画制御部２５は、割り当てた各検査オーダ情報における検査の標準電力の合計を検査準備計画の予定電力の合計として算出し、算出した予定電力を上限値Ｌと比較する。図３の検査準備計画において、時刻ｔ０から時刻ｔ１までの時間と、時刻ｔ２から時刻ｔ３までの時間とで予定電力の合計が上限値Ｌを超えている。すなわち、図３の例では、時刻ｔ０から時刻ｔ１までの時間と、時刻ｔ２から時刻ｔ３までの時間とが、予定電力の合計が上限値Ｌを超えた予定時間に相当する。このとき、計画制御部２５は、これら予定時間に割り当てられた検査オーダ情報（検査項目Ｅ１１、検査項目Ｅ２１、検査項目Ｅ３１：検査項目Ｅ１３、検査項目Ｅ２４、検査項目Ｅ３３）における検査の一部を他の時間に変更して割り当てることによって、検査計画を作成する。
【００２２】
図４は、検査計画の概略を表す模式図である。検査準備計画（図３参照）では時刻ｔ０から時刻ｔ１までの時間に割り当てられた検査オーダ情報（検査項目Ｅ１１、検査項目Ｅ２１、検査項目Ｅ３１）における検査のうち、検査項目Ｅ３１の検査オーダ情報における検査が、時刻ｔ４から時刻ｔ５までの時間に変更して割り当てられている。さらに、検査準備計画（図３参照）では時刻ｔ２から時刻ｔ３までの時間に割り当てられた検査オーダ情報（検査項目Ｅ１３、検査項目Ｅ２４、検査項目Ｅ３３）における検査のうち、検査項目Ｅ３３の検査オーダ情報における検査が、時刻ｔ３から時刻ｔ６までの時間に変更して割り当てられている。ここで、計画制御部２５は、変更後の予定電力の合計と上限値Ｌとを参照し、変更後の予定電力の合計が上限値Ｌより小さくなる時間へ検査オーダ情報における検査を割り当てる。なお、予約検査情報が優先度を含むとき、計画制御部２５は、優先度が低い検査オーダ情報における検査を他の時間に変更して割り当てる。検査オーダ情報が優先度を含まないとき、例えば、受付部２１が受け付けた順番が後である検査オーダ情報における検査を他の時間に変更して割り当ててもよい。なお、計画制御部２５は、検査準備計画において、予定電力の合計が上限値Ｌを超えた予定時間がないとき、検査準備計画をそのまま検査計画とする。計画制御部２５は、作成した検査計画をＨＩＳ／ＲＩＳ装置１及び電力制御部５へ出力する。ＨＩＳ／ＲＩＳ装置１は、作成された検査計画を表示する。
【００２３】
（主電源３、バッテリ４）
主電源３は、電力制御部５へ電力を供給する。主電源３は、交流の商用電源を含んで構成される。また、主電源３は、自家発電設備などの非常用発電機を含んでもよい。バッテリ４は、電力制御部５へ電力を供給する。バッテリ４は、電力制御部５から電力を受けて充電されてもよい。バッテリ４は、リチウムイオン二次電池やニッケル水素二次電池等の繰り返し充放電可能な電池を含んで構成される。
【００２４】
（電力制御部５）
電力制御部５は、主電源３若しくはバッテリ４又はこれら双方から電力の供給を受け、受けた電力を各医用画像診断装置６へ分配する。電力制御部５は、医用画像診断装置６ごとの電力出力部５１を備える。電力制御部５は、計画制御部２５から受けた検査計画に基づいて、各電力出力部５１から出力される電力を制御する。また、電力制御部５は、検査が行われる最中、各医用画像診断装置６に供給した電力の電力値を所定のサンプリングレートで算出部２３へ出力する。
【００２５】
（医用画像診断装置６）
医用画像診断装置６は、計画制御部２５による検査計画に基づいて、各種検査を行う。医用画像診断装置６は、検査を行うとき、検査項目、検査開始時刻及び検査終了時刻を表す情報を算出部２３へ出力する。
【００２６】
なお、実際の検査において、医用画像診断装置６で使用される電力が検査計画の標準電力を一時的に超過する場合がある。この場合、医用画像診断装置６は、超過する検査項目及び超過する時間を表す情報を検査制御部２へ出力する。検査制御部２は、受けた情報に基づいて、超過する電力（超過電力）を算出する。検査制御部２は、超過電力を表す情報を電力制御部５へ出力する。電力制御部５は、超過電力分の電力をバッテリ４から受け、当該医用画像診断装置６へ供給する。
【００２７】
電力制御部５は、各医用画像診断装置６の電力使用状況をモニタリングし、標準電力より少ない電力を使用している医用画像診断装置６があるか否か判断してもよい。標準電力より少ない電力を使用している医用画像診断装置６がある場合、電力制御部５は、その医用画像診断装置６へ供給予定であった標準電力と実際の使用電力との差分の少なくとも一部を使用する標準電力を超過する医用画像診断装置６へ供給する。
【００２８】
バッテリ４からの電力を供給する場合でも、標準電力より少ない電力を使用している医用画像診断装置６へ供給予定であった標準電力と実際の使用電力との差分を供給する場合でも超過電力を供給することができない場合、検査制御部２は、使用する標準電力を超過する医用画像診断装置６の動作を一時的に保留させる制御信号を当該医用画像診断装置６へ出力する。
【００２９】
［動作］
図５は、この実施形態の医用検査管理システムの動作を表すフローチャートである。
【００３０】
（ステップＳ１０１）
受付部２１は、検査項目を表す検査オーダ情報を複数受け付ける。受付部２１はこれら検査オーダ情報を計画制御部２５へ出力する。
【００３１】
（ステップＳ１０２）
計画制御部２５は、受付部２１から受けた検査オーダ情報の検査項目を参照し、この検査項目の標準検査時間及び標準電力を第１の記憶部２２から検査オーダ情報ごとに読み出す。
【００３２】
（ステップＳ１０３）
計画制御部２５は、装置ＩＤに基づいて、検査準備計画を作成する。このとき、計画制御部２５は、検査オーダ情報の装置ＩＤを読んで、同一の装置ＩＤを含む検査オーダ情報における検査を互いに異なる時間に割り当てる。
【００３３】
（ステップＳ１０４）
計画制御部２５は、上限値Ｌを第２の記憶部２４から読み出し、検査準備計画において、予定電力の合計が上限値Ｌを超えた予定時間があるか否か判断する。
【００３４】
（ステップＳ１０５）
予定電力の合計が上限値Ｌを超えた予定時間があるとき（ステップＳ１０４；Ｙｅｓ）、計画制御部２５は、検査準備計画において、その予定時間に割り当てられた検査オーダ情報における検査の一部を他の時間に変更して検査計画を作成する。
【００３５】
（ステップＳ１０６）
予定電力の合計が上限値Ｌを超えた予定時間がないとき（ステップＳ１０４；Ｎｏ）、計画制御部２５は、検査準備計画をそのまま検査計画とする。
【００３６】
（ステップＳ１０７）
算出部２３は、検査が行われる最中、当該医用画像診断装置６に供給される電力の電力値を所定のサンプリングレートで電力制御部５から受ける。算出部２３は、受けた電力値に基づいて、行われた検査の平均電力を算出する。さらに、算出部２３は、検査が行われる最中、当該医用画像診断装置６から検査の開始時刻及び終了時刻を受ける。算出部２３は、受けた開始時刻及び終了時刻に基づいて、行われた検査の検査時間を算出する。
【００３７】
（ステップＳ１０８）
算出部２３は、第１の記憶部２２から当該検査項目の標準電力を読み出し、この標準電力と行われた検査の平均電力とに基づいて、新たな標準電力を算出する。さらに、算出部２３は、第１の記憶部２２から当該検査項目の標準検査時間を読み出し、この標準検査時間と行われた検査の検査時間とに基づいて、新たな標準検査時間を算出する。
【００３８】
（ステップＳ１０９）
算出部２３は、新たな標準電力を第１の記憶部２２へ出力し、更新して記憶させる。さらに、算出部２３は、新たな標準検査時間を第１の記憶部２２へ出力し、更新して記憶させる。
【００３９】
［効果］
この実施形態の医用検査管理システムの効果について説明する。医用検査管理システムでは、第１の記憶部２２が、医用画像診断装置６の検査項目ごとの標準検査時間及び標準電力を予め記憶する。第２の記憶部２４は、電力の合計の上限値を予め記憶する。受付部２１は、検査項目を表す検査オーダ情報を複数受け付ける。計画制御部２５は、標準検査時間及び標準電力と検査オーダ情報とに基づいて、使用する予定電力を検査オーダ情報ごとに求め、予定電力の合計が上限値以下となるように、検査オーダ情報における検査の時間割を表す検査計画を作成する。また、検査オーダ情報は、医用画像診断装置６を識別可能な装置ＩＤを含む。計画制御部２５は、装置ＩＤに基づいて、検査準備計画を作成し、検査準備計画において、予定電力の合計が上限値を超えた予定時間があるとき、予定時間に割り当てられた検査オーダ情報における検査の一部を他の時間に変更して検査計画を作成する。このように、医用検査管理システムは、まず装置ＩＤに基づく検査準備計画を作成し、上限値を超えた時間に対して、検査オーダ情報における検査の時間を変更する。それにより、検査計画における使用電力の合計は上限値に近い値となる。したがって、この実施形態の医用検査管理システムは、医療機関の電源設備の容量のうち使用されない容量を低減することができる。
【００４０】
〈第１の変形例〉
この変形例の医用検査管理システムは、第２の記憶部２４、受付部２１、計画制御部２５の構成が前述の実施形態と異なる。以下、前述の実施形態と異なる事項について主に説明する。この変形例の医用検査管理システムは、選択された上限値に関連付けられた検査項目に限定して検査計画を作成する。
【００４１】
第２の記憶部２４は、複数の上限値のそれぞれに１以上の検査項目が関連付けられた第１の関連情報を予め記憶する。図６は、第１の関連情報の概略を表す模式図である。複数の上限値（Ｌｃ１、Ｌｃ２、・・・、Ｌｃｕ：添字「ｕ」は、記憶された上限値を識別する符号）のそれぞれに検査項目が関連付けられる。図６の例において、「ＯＫ」と記載された検査項目は、当該上限値に関連付けられた検査項目である。「ＮＧ」と記載された検査項目は、当該上限値に関連付けられていない検査項目である。なお、上限値ごとに、各装置の許容電力（Ｐｃ１１、Ｐｃ１２、・・・、Ｐｃ１ｎ：Ｐｃ２１、Ｐｃ２２、・・・、Ｐｃ２ｎ：Ｐｃ３１、Ｐｃ３２、・・・、Ｐｃ３ｎ：Ｐｃｕ１、Ｐｃｕ２、・・・、Ｐｃｕｎ）が関連付けられてもよい。また、複数の上限値のそれぞれに選択項番（Ｃ１、Ｃ２、・・・、Ｃｕ）が関連付けられてもよい。
【００４２】
受付部２１は、上限値の選択を受け付ける。例えば、受付部２１は、システム管理者等の操作者による選択項番の選択を受ける。受付部２１は、受け付けた選択項番を表す信号を計画制御部２５へ出力する。計画制御部２５は、第１の関連情報に基づいて、選択された選択項番に対応付けられた上限値に関連付けられた検査項目を表す検査オーダ情報について検査準備計画及び検査計画を作成する。このように、この変形例の医用検査管理システムは、検査計画に割り当てられる検査項目を選択された上限値に関連付けられた検査項目に限定することができる。例えば、医療機関の地域が災害等により電力不足に陥ったとき、この医用検査管理システムは、予め記憶された検査項目に限定して、使用されない容量を低減しながら検査計画を作成することができる。
【００４３】
〈第２の変形例〉
この変形例の医用検査管理システムは、第２の記憶部２４、計画制御部２５の構成が前述の実施形態と異なる。以下前述の実施形態と異なる事項について主に説明する。この変形例の医用検査管理システムは、予定時間によって、変動する上限値に基づいて検査計画を作成する。
【００４４】
第２の記憶部２４は、予定時間に１以上の上限値及び検査項目が関連付けられた第２の関連情報を予め記憶する。図７は、第２の関連情報の概略を表す模式図である。複数の予定時間（Ｘ１、Ｘ２、・・・、Ｘｖ；添字「ｖ」は、予定時間を識別する符号）のそれぞれには、予め個別の日付及び時間帯が設定される。例えば、予定時間Ｘ１には、ある日付の午前６時から午前１０時までの時間帯が設定され、予定時間Ｘｖには、他の日付の午後２時から午後６時までの時間帯が設定される。これら日付及び時間帯の設定は事前に設定され、第２の記憶部へ入力される。
【００４５】
これら予定時間のそれぞれに、上限値（Ｌｘ１、Ｌｘ２、・・・、Ｌｘｖ）が関連付けられる。これら上限値の値として、例えば、「８００ｋＶＡ」「５００ｋＶＡ」「４００ｋＶＡ」などの電力値が、それぞれ個別に設定される。なお、第１の関連情報における上限値と検査項目との関係と同様に、第２の関連情報においても各上限値と検査項目とが関連付けられてもよい。すなわち、第２の関連情報は、日付及び時間帯に応じて使用可能な電力の上限値が変動し、さらに変動する上限値に応じて、可能な検査項目も変動することを表す。
【００４６】
計画制御部２５は、第２の関連情報に基づいて、当該予定時間に関連付けられた検査項目を表す検査オーダ情報について検査準備計画を作成する。計画制御部２５は、予定電力の合計が当該予定時間に関連付けられた上限値以下となるように検査計画を作成する。このとき、計画制御部２５は、第２の関連情報を読み、当該予定時間ごとの上限値と、検査オーダ情報の検査の使用電力の合計とを参照して、合計が当該予定時間の上限値以下となるように検査計画を作成する。さらに、計画制御部２５は、第２の関連情報において当該予定時間に関連付けられた検査項目を読み、予定時間ごとに、当該予定時間に関連付けられた検査項目を表す検査オーダ情報の検査のみを割り当ててもよい。このように、この変形例の医用検査管理システムは、日付及び時間帯を表す予定時間ごとに、検査の使用電力の合計である上限値が変動する場合であっても、当該上限値の変動に応じて、検査計画を作成することができる。それにより、電力供給が日付及び時間帯によって変動する場合がある医療機関であっても、使用されない容量を低減しながら検査計画を作成することができる。
【００４７】
以上述べた少なくともひとつの実施形態の医用検査管理システムによれば、上限値を超えた時間に対して、検査オーダ情報における検査の時間を変更することにより、医療機関の電源設備の容量のうち使用されない容量を低減することが可能となる。
【００４８】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１      ＨＩＳ／ＲＩＳ装置
２      検査制御部
３      主電源
４      バッテリ
５      電力制御部
６      医用画像診断装置
２１    受付部
２２    第１の記憶部
２３    算出部
２４    第２の記憶部
２５    計画制御部
５１    電力出力部
【図１】
2015203970.tif 000003
【図２】
2015203970.tif 000004
【図３】
2015203970.tif 000005
【図４】
2015203970.tif 000006
【図５】
2015203970.tif 000007
【図６】
2015203970.tif 000008
【図７】
2015203970.tif 000009